(57)【要約】  【課題】郵送に係る手間を軽減することができ、回答書の紙面もある程度大きくすることができ、かつ回答内容を容易に秘匿することのできるアンケート用封筒を提供する。  【解決手段】感圧紙からなる表紙と裏紙で構成され、裏紙内面に回答転写欄が形成された封筒本体と、一端が前記封筒本体の表紙の外面端部に切取り又は剥取り可能に接着され、その外側面に回答記入欄が形成された単葉の記入用紙とを備え、前記回答記入欄と前記回答転写欄とのアンケート回答に係る記載事項の内容、構成及び平面位置を同一にして、前記回答記入欄に記入された事項が、感圧紙の作用によりそのまま前記回答転写欄に転写されるように構成されていることを特徴とするアンケート用封筒。【選択図】図１
0003125151.tif 000002
【実用新案登録請求の範囲】
【請求項１】
少なくとも一方が感圧紙からなる表紙と裏紙で構成され、前記裏紙の前記表紙に接する面（裏紙内面）に回答転写欄が形成された封筒本体と、
少なくともその一端が前記封筒本体の表紙の外面端部に切取り又は剥取り可能に接着され、その外側面に回答記入欄が形成された単葉の記入用紙とを備え、
前記回答記入欄と前記回答転写欄とのアンケート回答に係る記載事項の内容、構成及び平面位置を同一にして、前記回答記入欄に記入された事項が、感圧紙の作用によりそのまま前記回答転写欄に転写されるように構成されていることを特徴とするアンケート用封筒。
【請求項２】
前記封筒本体の表紙外面に返送先の宛書、郵便番号が印刷され、又はこれに加えて返送用切手が貼られ若しくは送料予納スタンプが捺印されてなること特徴とする請求項１に記載のアンケート用封筒。
【請求項３】
前記回答記入欄と前記回答転写欄がともにマークシート方式で形成されていることを特徴とする請求項１又は２に記載のアンケート用封筒。
【請求項４】
前記封筒本体の天側端部から、所定幅の間隔を空けて１列の全幅に亘るミシン目が、表紙と裏紙双方の同じ位置に形成され、かつ表紙と裏紙のいずれか一方の前記ミシン目より地側の糊代内面に、ほぼその全幅に亘る接着面が形成され、該接着面が帯状の離型紙により被覆されてなることを特徴とする請求項１から３のいずれかに記載のアンケート用封筒。
【請求項５】
前記封筒本体の天側端部から、それぞれ所定幅の糊代の間隔を空けて２列の全幅に亘るミシン目が、表紙と裏紙双方の同じ位置に形成され、かつ表紙と裏紙のいずれか一方の両ミシン目の間の糊代内面に、ほぼその全幅に亘る接着面が形成され、これに対向する他方の紙の糊代内面に離型面が形成されていることを特徴とする請求項１から３のいずれかに記載のアンケート用封筒。
【請求項６】
表紙片と裏紙片の周囲を貼り合せて請求項５に記載のアンケート用封筒の封筒本体を作成するのに用いられる型紙であって、
片面が感圧紙であって、裏紙側の感圧紙面に前記回答転写欄が形成された略同形の一対の型紙からなり、
この両型紙の天側端部から、それぞれ所定幅の糊代の間隔を空けて３列の全幅に亘るミシン目が、表紙と裏紙双方の同じ位置に形成され、かつ表紙と裏紙のいずれか一方の天側端部と天側から１番目のミシン目との間の糊代、及び天側から２番目及び３番目の両ミシン目の間の糊代の感圧紙面に、ほぼその全幅に亘る接着面が形成され、
これに対向する他方の紙の天側端部と天側から１番目のミシン目との間の糊代、及び天側から２番目及び３番目の両ミシン目の間の糊代の感圧紙面に離型面が形成されていることを特徴とするアンケート封筒用型紙。
【請求項７】
前記封筒本体の２倍サイズの紙をその中央から折り曲げ、その左右の周囲を貼り合せて請求項５に記載のアンケート用封筒の封筒本体を作成するのに用いられる型紙であって、
片面が感圧紙であって、中央に折曲げ線が形成され、かつ裏紙側の感圧紙面に前記回答転写欄が形成された一枚の型紙からなり、
該型紙の天側端部から、それぞれ所定幅の糊代の間隔を空けて３列の全幅に亘るミシン目が形成され、かつ表紙と裏紙のいずれか一方の天側端部と天側から１番目のミシン目との間の糊代、及び天側から２番目及び３番目の両ミシン目の間の糊代の感圧紙面に、それぞれほぼその全幅に亘る接着面が形成され、
これに対向する他方の紙の天側端部と天側から１番目のミシン目との間の糊代、及び天側から２番目及び３番目の両ミシン目の間の糊代の感圧紙面に、それぞれ離型面が形成されていることを特徴とするアンケート封筒用型紙。 
【考案の詳細な説明】
【技術分野】
【０００１】
本考案は、郵便によりアンケートを行う際に用いる封筒に関し、とくに返信の手間が簡便で、回答書の内容を秘匿するのが容易なアンケート用封筒とその型紙に関する。
【背景技術】
【０００２】
近年、消費動向や生活意識の調査のために、郵便によりアンケートが行われることが多くなっている。一般には不特定多数の回答者に対して、質問状と回答用紙を郵送し、回答書の返送を求めるものである。
【０００３】
かかる郵便によるアンケートには、封書による場合と往復はがきによる場合がある。前者は、定形又は定形外の封筒内に、質問状、回答用紙と返送用封筒を同封して、回答者宛に郵送し、返送用封筒で回答書の返送を求めるものである。しかし、この方法は、発送者（調査者）側での発送準備の手間がかかる上に、回答者側でも回答用紙を返送用封筒に封入して発送する手間が煩わしいという問題がある。そのため、回答に応じない者が増え、回答率が低下する結果になる。
【０００４】
一方後者は、往復はがきの返信欄を回答書として利用するものである。この方式は、回答者の返送の手間は簡易になるが、紙面が限られるため、ごく簡単なアンケートしかできない上に、回答内容を他人が容易に見ることができるため、回答内容の秘匿が難しいという問題がある。
【考案の開示】
【考案が解決しようとする課題】
【０００５】
上記従来技術の問題点に鑑み、本考案は、発送者側及び回答者側の郵送に係る手間を軽減することができ、回答書の紙面もある程度大きくすることができ、かつ回答者の周囲の者に対して、回答内容を容易に秘匿することのできるアンケート用封筒を提供することを課題としている。
【課題を解決するための手段】
【０００６】
上記課題を解決するための本考案のアンケート用封筒の第一は、少なくとも一方が感圧紙からなる表紙と裏紙で構成され、前記裏紙の前記表紙に接する面（裏紙内面）に回答転写欄が形成された封筒本体と、少なくともその一端が前記封筒本体の表紙の外面（裏紙に接する面と反対の面）端部に切取り又は剥取り可能に接着され、その外側面に回答記入欄が形成された単葉の記入用紙とを備え、前記回答記入欄と前記回答転写欄とのアンケート回答に係る記載事項の内容、構成及び平面位置を同一にして、前記回答記入欄に記入された事項が、感圧紙の作用によりそのまま前記回答転写欄に転写されるように構成されていることを特徴とするものである。
【０００７】
本考案は上記のように構成されているから、記入用紙の回答記入欄に、ボールペン等で回答を記入すれば、この記入事項は、そのまま裏紙内面の回答転写欄に転写される。したがって、回答者は、封筒本体から記入用紙を切取って封筒本体を返送すればよい。その際必ずしも封筒を開封する必要はないから、返送の手間がかからず、かつ回答内容を回答者の周囲の目から完全に秘匿できる。また、切取られた記入用紙は、控えとして回答者の手元に留めておくことができる。
【０００８】
このアンケート用封筒においては、前記封筒本体の表紙外面に返送先の宛書、郵便番号が印刷され、又はこれに加えて返送用切手が貼られ若しくは送料予納スタンプが捺印されてなることが好ましい。これにより、回答者の返送の手間をさらに軽減することができる。
【０００９】
また、このアンケート用封筒においては、前記回答記入欄と前記回答転写欄がともにマークシート方式で形成されていることが好ましい。これにより、狭いスペースでも多くの情報を盛り込めるようになるとともに、集計者は自動読取手段を用いて自動的に読取と集計を行うことができる。
【００１０】
本考案のアンケート用封筒の第二は、上記第一考案の構成に加えて、前記封筒本体の天側端部から、所定幅の間隔を空けて１列の全幅に亘るミシン目が、表紙と裏紙双方の同じ位置に形成され、かつ表紙と裏紙のいずれか一方の前記ミシン目より地側の糊代内面に、ほぼその全幅に亘る接着面が形成され、該接着面が帯状の離型紙により被覆されてなることを特徴とするものである。
【００１１】
また、本考案のアンケート用封筒の第三は、上記第一考案の構成に加えて、
前記封筒本体の天側端部から、それぞれ所定幅の糊代の間隔を空けて２列の全幅に亘るミシン目が、表紙と裏紙双方の同じ位置に形成され、かつ表紙と裏紙のいずれか一方の両ミシン目の間の糊代内面に、ほぼその全幅に亘る接着面が形成され、これに対向する他方の紙の糊代内面に離型面が形成されていることを特徴とするものである。
【００１２】
アンケート用封筒の開口部を、上記第二又は第三考案のように構成することにより、発送者が本考案のアンケート封筒を用いて、質問状や小型の商品サンプル等をアンケート回答者に送付したい場合に、回答者側の開封と返送の際の再封緘の手間を大いに軽減することができる。
【００１３】
本考案のアンケート封筒用型紙の第一は、表紙片と裏紙片の周囲を貼り合せて上記第三考案のアンケート用封筒の封筒本体を作成するのに用いられる型紙であって、片面が感圧紙であって、裏紙側の感圧紙面に前記回答転写欄が形成された略同形の一対の型紙からなり、この両型紙の天側端部から、それぞれ所定幅の糊代の間隔を空けて３列の全幅に亘るミシン目が、表紙と裏紙双方の同じ位置に形成され、かつ表紙と裏紙のいずれか一方の天側端部と天側から１番目のミシン目との間の糊代、及び天側から２番目及び３番目の両ミシン目の間の糊代の感圧紙面に、ほぼその全幅に亘る接着面が形成され、これに対向する他方の紙の天側端部と天側から１番目のミシン目との間の糊代、及び天側から２番目及び３番目の両ミシン目の間の糊代の感圧紙面に離型面が形成されていることを特徴とするものである。
【００１４】
また、本考案のアンケート封筒用型紙の第二は、前記封筒本体の２倍サイズの紙をその中央から折り曲げ、その左右の周囲を貼り合せて上記第三考案のアンケート用封筒の封筒本体を作成するのに用いられる型紙であって、片面が感圧紙であって、中央に折曲げ線が形成され、かつ裏紙側の感圧紙面に前記回答転写欄が形成された一枚の型紙からなり、該型紙の天側端部から、それぞれ所定幅の糊代の間隔を空けて３列の全幅に亘るミシン目が形成され、かつ表紙と裏紙のいずれか一方の天側端部と天側から１番目のミシン目との間の糊代、及び天側から２番目及び３番目の両ミシン目の間の糊代の感圧紙面に、それぞれほぼその全幅に亘る接着面が形成され、これに対向する他方の紙の天側端部と天側から１番目のミシン目との間の糊代、及び天側から２番目及び３番目の両ミシン目の間の糊代の感圧紙面に、それぞれ離型面が形成されていることを特徴とするものである。
【考案の効果】
【００１５】
本考案により、発送者側及び回答者側の郵送に係る手間を軽減することができ、回答書の紙面もある程度大きくすることができ、かつ回答者の周囲の者に対して、回答内容を容易に秘匿することのできるアンケート用封筒を提供することが可能になった。
【考案を実施するための最良の形態】
【００１６】
以下、実施例の図面を参照して、本考案について詳しく説明する。図１は、本考案の一実施例であるアンケート用封筒の全体斜視図、図２はこの封筒の構成を分解して示す斜視図である。この封筒は、封筒本体１とこれに貼り付けられた単葉の記入用紙２とからなっている。記入用紙２は、その一面にアンケートの回答記入欄１０が設けられ、アンケート回答に係る事項又はこれと質問事項が印刷されている。また記入用紙２は、回答記入面を上側にして、少なくともその一端が封筒本体１の一端に（この例では、封筒の地側端部３）に、切取り可能に接着されている。すなわち、記入用紙２の地側端部３に接着代４を空けて、ミシン目５を短辺と平行に設け、このミシン目５から切取るようにしている。ただし、本考案においては、記入用紙２が封筒本体１に切取り又は剥取り可能に接着されていればよく、その方法をこの例に限る必要はない。また、この例では封筒本体１の天側端部６は、折返しによって封じられているが、封筒本体を封じる方法をこの例に限る必要はない。
【００１７】
封筒本体１の内面（表紙と裏紙が接する面）は感圧紙によって形成され、図２に見られるように、裏紙９（記入用紙２が接着された面を表紙８として、その反対側の用紙）の内面に、記入用紙２の回答記入欄１０に対応する回答転写欄１１が印刷されている。記入用紙２の回答記入欄１０と裏紙９内面の回答転写欄１１とは、そのアンケート回答に係る記載事項の内容、構成及び平面位置が同一になるように形成されている。
【００１８】
一般に、回答記入欄１０には、質問に係る記載事項とアンケート回答に係る記載事項が印刷される。一方、回答転写欄１１には、質問に係る記載事項とアンケート回答に係る記載事項の両者が印刷されていてもよいが、少なくともアンケート回答に係る記載事項が印刷されていれば良く、質問に係る記載事項は無くても差し支えない。このように構成することにより、アンケート回答者は、記入用紙２に回答を書き込めば、感圧紙の作用により回答転写欄１１に転写される。回答記入欄１０と回答転写欄１１は、平面位置を同じにして、ズレ無く重ね合わされていることが必要である。
【００１９】
本考案において、このようにズレ無く重ね合わせの方法をとくに限定する必要はないが、例えば記入用紙２と封筒本体１の大きさを全く同じにして、両者をズレ無く重ね合わせて接着する方法や、記入用紙２と封筒本体１に重ね合わせ基準線を設け、この基準線が一致するように重ね合わせて接着する方法などが考えられる。
【００２０】
また、本考案において感圧紙の発色形式を限定する必要は無く、裏紙内面が自己発色型の感圧紙（裏紙内面にカプセル入りの発色剤と顕色剤が塗布され、表紙は普通紙からなるもの）でも、複写発色型（表紙内面に発色剤が、裏紙内面に顕色剤が塗布されたもの）等のいずれであってもよい。
【００２１】
この封筒を郵送された回答者は、まず記入用紙２の質問事項を読み、記入用紙の回答記入欄１０に、ボールペン等で、回答を記入する。この記入事項は、そのまま裏紙９内面の回答転写欄１１に転写される。したがって、回答者は、封筒本体１から記入用紙２を切取って封筒本体１を返送すればよい。その際必ずしも封筒を開封する必要はないから、返送の手間がかからず、かつ回答内容を回答者の周囲の目から完全に秘匿できる。また、切取られた記入用紙２は、控えとして回答者の手元に留めておくことができる。これらのことが本考案の特長である。アンケートの返送を受けた者（発送者）は、この封筒本体１を開いて、回答転写欄１１に記載されている事項を集計すればよい。
【００２２】
本考案においては、回答者の返送の手間をなるべく軽減するという観点から、封筒本体１（例えば、表紙外面）に予め返送先の宛書、郵便番号が印刷されていることが好ましく、併せて、返送用切手が貼られ若しくは送料予納スタンプが捺印されていることがさらに好ましい。
【００２３】
また、回答記入欄１０及び回答転写欄１１はマークシート方式になっていることが好ましい。これにより、狭いスペースでも多くの情報を盛り込めるようになるとともに、集計者は自動読取手段を用いて自動的に読取と集計を行うことができ、集計の手間を大幅に軽減することができる。
【００２４】
本考案に用いる封筒本体の作成方法についてはとくに限定を要しない。例えば表紙と裏紙を別々に作成して、周囲を貼り合せる「貼合せ型」であってもよく、一枚の紙を折り返して作る「折返し型」であってもよい。ただし、「折返し型」の場合は、貼合せ箇所が裏紙中央に位置する「センター貼」ではなく、貼合せ箇所が裏紙端部付近になる「Ｌタイプ貼」であることが好ましい。前者は、裏紙内面に、回答転写欄を形成するための、印刷位置の調整が厄介になるためである。
【００２５】
図３は、本考案の第二実施例であるアンケート用封筒（第三考案のアンケート用封筒）の全体斜視図、図４はこの封筒の開封と再封緘の手順を示す斜視図である。この封筒も、封筒本体１とこれに貼り付けられた単葉の記入用紙２とからなっている点、及び封筒本体１の内面が感圧紙によって形成され、記入用紙２の回答記入欄１０に記入することにより、裏紙９内面の回答転写欄（図に表れていない）に転写されるようになっている点は、図１の例と同じである。
【００２６】
相違点は、封筒本体の封入口部分の構造のみである。この第二実施例の封筒の特徴は、発送者が質問状や小型の商品サンプル等を、アンケート回答者に送付したい場合に、その開封と返送の際の再封緘をなるべく簡便に行えるように、封入口部分の構造を工夫している点にある。
【００２７】
この第二実施例のアンケート用封筒の封入口部分（天側端部）には、表紙、裏紙ともに同じ位置に二本のミシン目が形成されている。封筒本体１の天側端部６から糊代程度の幅（以下、第一糊代１３という）を残して、端部６と平行に第一ミシン目１２が、表紙８及び裏紙９の両者のほぼ同じ位置に形成されている。さらに、このミシン目１２から糊代程度の幅（図のハッチング部分、以下第二糊代１５という）を残して、第二ミシン目１４が、表紙８及び裏紙９の両者のほぼ同じ位置に形成されている。
【００２８】
この封筒の使い方を図４に基づいて説明する。同図は便宜上、裏紙を上側に表示している。まず、このアンケート用封筒を受け取った者（回答者）は、封入物（質問状や小型の商品サンプル等）を取り出すため、第一ミシン目１２から、表紙８及び裏紙９の糊代部分（第一糊代１３）を切り離す（図４(ａ)参照）。封筒本体１の天側端部６は、折返し７の部分のみ接着されており、この第一ミシン目１２からの切離しにより、封筒本体１は図４(ｂ)に示すように開口状態となり、容易に封入物を取り出すことができる。
【００２９】
一旦開封した封筒本体１を再度封緘する方法は以下のとおりである。この第二実施例のアンケート用封筒は、第二糊代１５の部分において、表紙８又は裏紙９のいずれか一方の内面（この例では表紙８の内面）に接着面（例えば両面テープが接着され又は再湿糊などが塗布された面）が形成され、他方の内面（この例では裏紙９の内面）に離型面が形成され、両者を容易に剥がし得るように構成されている。封緘する場合には、離型面の部分（この例では裏紙９の第二糊代１５の部分）を第二ミシン目１４から切り離す。一方接着面の部分（この例では表紙８の第二糊代１５の部分）は、第二ミシン目１４から裏紙９の外側に折り曲げる（図４(ｃ)参照）。接着面が接着可能な状態（再湿糊では水に濡らした状態）にして、これを裏紙９の外側に押し付ければ、図４(ｄ)に示すように封筒本体１は封緘される。
【００３０】
この第二実施例の封筒を用いれば、回答者が封入物を取り出して再度封緘するのに、ハサミ、糊等の道具を用いる必要が無く、返送の手間がかからない。この封筒においても、返送の手間がかからずかつ回答内容を回答者の周囲の目から完全に秘匿できること、及び切取られた記入用紙２を控えとして回答者の手元に留めておくことができる等の特長は、第一実施例の封筒と同じである。
【００３１】
なお、本考案において、封入物の取出しと再封緘の手間を軽減する手段を、上記第二実施例の態様に限る必要は無く、例えば第二考案のアンケート用封筒として示したように、第一考案の構成に加えて、前記封筒本体の天側端部から、所定幅の間隔を空けて１列の全幅に亘るミシン目が、表紙と裏紙双方の同じ位置に形成され、かつ表紙と裏紙のいずれか一方の前記ミシン目より地側の糊代内面に、ほぼその全幅に亘る接着面が形成され、該接着面が帯状の離型紙により被覆されてなるものであってもよい。
【００３２】
封入物の取出しの際は、上記のミシン目から天側端部を切り離して開口することができ、アンケート用封筒の再封緘の際には、帯状の離型紙を取り除いて、接着面を対向する紙面（普通紙）に圧着させればよい。
【００３３】
次に、上記のアンケート用封筒（第三考案のアンケート用封筒）に用いる本考案の型紙について説明する。図５は、本考案の第一の実施例である型紙の平面図である。この型紙は、表紙８及び裏紙９用の略同型の一対の型紙からなっている。この両型紙は、片面（図の上側面）が感圧紙からなっており、表紙８のＡ−Ａ線を裏紙９のａ−ａ線と重ね合わせ、表紙８のＢ−Ｂ線を裏紙９のｂ−ｂ線と重ね合わせて、両型紙の周囲（図のハッチングの部分）を接着する。これにより、封筒本体の内面が感圧紙面となる（以下、この面を内面という）また、裏紙９内面には、回答転写欄１１が形成され、所定の記載事項が印刷されている。
【００３４】
また、この型紙は、上記の第二実施例のアンケート用封筒を作成するためのものであるため、天側端部（封入口付近）の構造に特別の工夫が施されている。すなわち、表紙８及び裏紙９ともに、天側端部６から、それぞれ所定幅の糊代の間隔を空けて３列の全幅に亘るミシン目が、天側端部６と平行に、表紙と裏紙双方の同じ位置に形成されている。この３列のミシン目のうち、天側から２番目（中央）のミシン目が、図３、４での第一ミシン目１２に相当し、天側から３番目のミシン目が、第二ミシン目１４に相当する。そこで、各ミシン目の呼称は、前記に倣うこととし、天側から１番目のミシン目を第三ミシン目１６とする。同様に、天側端部６から第三ミシン目１６の間の糊代を第三糊代１７とし、第三ミシン目１６と第一ミシン目１２の間の糊代を第一糊代１３とし、第一ミシン目１２と第二ミシン目１４の間の糊代を第二糊代１５とする。
【００３５】
表紙８と裏紙９のいずれか一方（この例では表紙８側）の天側端部６と天側から１番目の第三ミシン目１６との間の第三糊代１７の内面に、ほぼその全幅に亘って第一接着面１８ａが形成されている。また、天側から２番目及び３番目の第一及び第二ミシン目１２，１４の間の第二糊代１５の内面に、ほぼその全幅に亘って第二接着面１８ｂが形成されている。
【００３６】
一方裏紙９側の第三糊代１７の内面には、ほぼその全幅に亘って第一離型面１９ａが形成され、同じく裏紙９側の第二糊代１５の内面には第二離型面１９ｂが形成されている。
【００３７】
接着面は、例えば両面テープが接着され又は再湿糊等の接着剤が塗布された面であり、離型面は離型剤が塗布され又は離型紙が接着された面である。
【００３８】
このように構成された本考案の型紙を用いて、第二実施例の封筒本体を作成する方法について、以下に説明する。すでに述べたとおり、まず、表紙８のＡ−Ａ線を裏紙９のａ−ａ線と重ね合わせ、表紙８のＢ−Ｂ線を裏紙９のｂ−ｂ線と重ね合わせて、両型紙の周囲（図のハッチングの部分）を接着する。これにより、天側が開口した封筒本体が形成される（接着面は離型面と対向しているため、固着することなく容易に剥がすことができる）。封筒本体の保管・運搬等はこの状態で行われる。
【００３９】
次いで、必要な封入物を天側開口部から封筒内に装入して天側端部を封じるが、この封じ方は以下のように行うことができる。すなわち、裏紙９側の第三ミシン目１６に沿って、裏紙側の第三糊代１７の部分のみを封筒本体から切り離す。その後表紙８側の第三糊代１７の部分を第三ミシン目１６に沿って裏紙の後側に折り曲げる。これにより、接着面１８ａが裏紙９の外面上端に固着して、封筒本体が封じられることになる。
【００４０】
このようにして封入物を入れた封筒本体１に記入用紙２を接着して、回答者宛てに送付すればよい。送付を受けた者が、封入物を取り出して再封緘する手順は、図４ですでに説明したものと同じである。
【００４１】
次に本考案の第二実施例である型紙について、図５を参照して説明する。この型紙は、一枚の紙をその中央から折り曲げ、その左右を表紙８及び裏紙９とし、その周囲を貼り合せて前記第二実施例のアンケート用封筒を作成するためのものである。
【００４２】
この型紙は、片面（図の上側の面）が感圧紙からなる封筒本体の約２倍サイズの紙を用い、中央に折曲げ線２０を形成し、かつ裏紙９側の内面（感圧紙面）に回答転写欄１１を印刷しておく。この型紙を折曲げ線２０から折り曲げて、その周囲（図のハッチングの部分を貼りあわせれば、封筒本体が成形される。
【００４３】
また、この型紙も、上記の第二実施例のアンケート用封筒を作成するためのものであるため、天側端部（封入口付近）に３列のほぼ全幅に亘るミシン目が形成されている点は、第一実施例の型紙と同じである。すなわち、この型紙の天側端部６から順に、第三ミシン目１６、第一ミシン目１２、第二ミシン目１４が形成されている。また、表紙８又は裏紙９のいずれか一方（この例では表紙８側）の天側端部６と第三ミシン目１６の間の第三糊代１７内面に接着面１８ａが、第一ミシン目１２と第二ミシン目１４の間の第二糊代１５内面に、それぞれほぼその全幅に亘る接着面１８ｂが形成されている。
【００４４】
また、これに対向する他方の紙の第三糊代１７内面に離型面１９ａが、第二糊代１５内面に離型面１９ｂが形成されている。この型紙においても、封入物を天側開口部から封筒内に入れて天側端部を封じる方法は、第一実施例の型紙と同様である。なお、上記の第一実施例及び第二実施例の型紙のいずれにおいても、離型面である第三糊代１７の部分は予め切取られていても差し支えない。ただし、対向する接着面が両面テープからなる場合には、この接着面を離型紙で保護しておく必要がある。
【図面の簡単な説明】
【００４５】
【図１】本考案の第一実施例であるアンケート用封筒の全体斜視図である。
【図２】第一実施例の封筒の構成を分解して示す斜視図である。
【図３】本考案の第二実施例であるアンケート用封筒の全体斜視図である。
【図４】第二実施例の封筒の開封と再封緘の手順を示す斜視図である。
【図５】本考案のアンケート封筒用型紙の一例を示す平面図である。
【図６】本考案のアンケート封筒用型紙の他の例を示す平面図である。
【符号の説明】
【００４６】
１  封筒本体
２  記入用紙
３  地側端部
４  糊代
５  ミシン目
６  天側端部
７  折返し
８  表紙
９  裏紙
１０  回答記入欄
１１  回答転写欄
１２  第一ミシン目
１３  第一糊代
１４  第二ミシン目
１５  第二糊代
１６  第三ミシン目
１７  第三糊代
１８ａ  第一接着面
１８ｂ  第二接着面
１９ａ  第一離型面
１９ｂ  第二離型面
２０  折曲げ線
【図１】
0003125151.tif 000003
【図２】
0003125151.tif 000004
【図３】
0003125151.tif 000005
【図４】
0003125151.tif 000006
【図５】
0003125151.tif 000007
【図６】
0003125151.tif 000008